(57)【要約】【課題】台枠と前面枠と前面パネルを組み合わせて外郭を構成し、かつ前記前面パネルは、室内ユニット本体に対し開閉可能にするシテンを有する室内ユニットにおいて、前面パネルを透明材で成形し、裏面塗装をした場合でも、デザイン性に優れ、かつ重量増加の抑制及び省スペ−ス化を図った前面パネルの提供を可能とすること。【解決手段】前面パネル１側のシテン１１取付部を前記前面パネル１と別部品の取付板２として構成し、前記前面パネル１の上部１ａ及び下部１ｂの筐体表面部に顕れない部位の裏面に取付板２を固定したことを特徴とする。【選択図】図１
2006112701.tif 000002
【特許請求の範囲】
【請求項１】
台枠と前面枠と前面パネルを組み合わせて外郭を構成し、かつ前記前面パネルは、室内ユニット本体に対し開閉可能にするシテンを有する空気調和機の室内ユニットにおいて、前面パネル側のシテン取付部を前記前面パネルと別部品の取付板として構成し、前記前面パネルの上部及び下部の筐体表面部に顕れない部位の裏面に前記取付板を固定したことを特徴とする空気調和機の室内ユニット。
【請求項２】
前面パネルの表面上に単数または複数の飾り台を設けて、前記前面パネルの上部の筐体表面部に顕れない部位の裏面と前記飾り台取付部の裏面において、取付板を固定したことを特徴とする請求項１記載の空気調和機の室内ユニット。
【請求項３】
前面パネルの裏面上端部の全体にリブを設け、前記リブ上に取付板取付部を設けるとともに、飾り台取付部の裏面において前記取付板取付部に相対する部位に爪を設けて、取付板においては前記前面パネルの取付板取付部に相対する部位に固定部と前記前面パネルの爪に相対する部位にかん合面と前記かん合面に垂直で前記爪を囲むかん合リブを設け、取付板を前面パネルに固定したことを特徴とする請求項２記載の空気調和機の室内ユニット。
【発明の詳細な説明】
【技術分野】
【０００１】
本発明は、空気調和機に関し、さらに詳しくは空気調和機の室内ユニットの構成に関するものである。
【背景技術】
【０００２】
従来の空気調和機の室内ユニットについて図面を参照しながら説明する。
【０００３】
従来の空気調和機の室内ユニットは、図１０、１１に示すように、ベ−スを構成する台枠９、台枠９の全体を覆い外装を構成する前面枠１０、前面枠１０の前方に装着される前面パネル１で構成され、前面パネル１は、室内ユニット本体に対し開閉可能にするためのシテン１１を有している。シテン１１は、前面枠１０に設けられた取付部１２と前面パネル１の裏面に一体で形成された取付部１３に取付けられている（例えば、特許文献１参照）。
【特許文献１】特開２００３−１４８７６２号公報
【発明の開示】
【発明が解決しようとする課題】
【０００４】
しかしながら、前記従来の構成では、前面パネル１側の取付部１３が前面パネル１の裏面に一体成形されているため、前面パネル１を透明材で成形し裏面塗装した場合、表面から見ると取付部だけが塗装されずデザイン性を損ねるといった課題を有していた。
【０００５】
本発明は、前記従来の課題を解決するもので、デザイン性に優れた裏面塗装の前面パネルを提供し、空気調和機の室内ユニットの美観性向上を目的とするものである。
【０００６】
また、本発明は、構造が簡単で必要部分のみの取付板を具備することにより、前面パネルの重量増加の抑制及び省スペ−ス化を図るものである。
【課題を解決するための手段】
【０００７】
前記従来の課題を解決するために、本発明の空気調和機の室内ユニットは、前面パネル側のシテン取付部を前記前面パネルと別部品の取付板として構成し、前記前面パネルの上部及び下部の筐体表面部に顕れない部位の裏面に前記取付板を固定したことを特徴とするものである。
【０００８】
上記の構成によって、前面パネルを透明材で成形し、裏面塗装をした場合でも、塗装の障害となる凸形状が筐体表面部に顕れない部位に構成されているため、正面からら見た時に前面パネル全体に裏面塗装されているように見え、デザイン性に優れた前面パネルを提供することができる。
【０００９】
また、第２の発明は、前面パネルの表面上に単数または複数の飾り台を設けて、前記前面パネルの上部の筐体表面部に顕れない部位の裏面と前記飾り台取付部の裏面において、取付板を固定したことを特徴とするものである。
【００１０】
上記の構成によって、前面パネルを透明材で成形し、裏面塗装をした場合でも、塗装の障害となる凸形状が上部の筐体表面部に顕れない部位と飾り台取付部の裏面に構成されているため、正面からら見た時に前面パネル全体に裏面塗装されているように見え、デザイン性に優れた前面パネルを提供できるとともに、取付板の大きさを必要寸法に抑えることもでき、重量増加の抑制及び省スペ−ス化を図ることができる。
【００１１】
また、第３の発明は、前面パネルの裏面上端部の全体にリブを設け、前記リブ上に取付板取付部を設けるとともに、飾り台取付部の裏面において前記取付板取付部に相対する部位に爪を設けて、取付板においては前記前面パネルの取付板取付部に相対する部位に固定部と前記前面パネルの爪に相対する部位にかん合面と前記かん合面に垂直で前記爪を囲むかん合リブを設け、取付板を前面パネルに固定したことを特徴とするものである。
【００１２】
上記の構成によって、前面パネルを透明材で成形し、裏面塗装をした場合に、裏面上端部の全体に形成しているリブ根元には塗装ができないが、上部の塗装端が前記リブ根元で揃い正面から見た時にデザイン性を損なうことがない。また、飾り台取付部裏面に構成している爪と取付板のかん合面及びかん合リブを組合わせることにより、取付位置のブレをなくし、前面パネルへの取付板の取付性を向上することができる。
【発明の効果】
【００１３】
本発明の空気調和機の室内ユニットは、デザイン性に優れた裏面塗装の前面パネルを提供し、また、前面パネルの重量増加の抑制及び省スペ−ス化を図り、この種の室内ユニットの構成を可能にするものである。
【発明を実施するための最良の形態】
【００１４】
第１の発明は、前面パネル側のシテン取付部を前記前面パネルと別部品の取付板として構成し、前記前面パネルの上部及び下部の筐体表面部に顕れない部位の裏面に前記取付板を固定したことを特徴とするもので、これにより、前面パネルを透明材で成形し、裏面塗装をした場合でも、塗装の障害となる凸形状が筐体表面部に顕れない部位に構成されているため、正面からら見た時に前面パネル全体に裏面塗装されているように見え、デザイン性に優れた前面パネルを提供することができる。
【００１５】
第２の発明は、前面パネルの表面上に単数または複数の飾り台を設けて、前記前面パネルの上部の筐体表面部に顕れない部位の裏面と前記飾り台取付部の裏面において、取付板を固定したことを特徴とするもので、これにより、前面パネルを透明材で成形し、裏面塗装をした場合でも、塗装の障害となる凸形状が上部の筐体表面部に顕れない部位と飾り台取付部の裏面に構成されているため、正面からら見た時に前面パネル全体に裏面塗装されているように見え、デザイン性に優れた前面パネルを提供できるとともに、取付板の大きさを必要寸法に抑えることもでき、重量増加の抑制及び省スペ−ス化を図ることができる。
【００１６】
第３の発明は、前面パネルの裏面上端部の全体にリブを設け、前記リブ上に取付板取付部を設けるとともに、飾り台取付部の裏面において前記取付板取付部に相対する部位に爪を設けて、取付板においては前記前面パネルの取付板取付部に相対する部位に固定部と前記前面パネルの爪に相対する部位にかん合面と前記かん合面に垂直で前記爪を囲むかん合リブを設け、取付板を前面パネルに固定したことを特徴とするもので、これにより、前面パネルを透明材で成形し、裏面塗装をした場合に、裏面上端部の全体に形成しているリブ根元には塗装ができないが、上部の塗装端が前記リブ根元で揃い正面から見た時にデザイン性を損なうことがない。また、飾り台取付部裏面に構成している爪と取付板のかん合面及びかん合リブを組合わせることにより、取付位置のブレをなくし前面パネルへの取付板の取付性を向上することができる。
【００１７】
以下、本発明の実施の形態について、図面を参照しながら説明する。従来の技術で説明した図１０、１１と共通の構成要素については同一番号を付して、詳細説明を省略する。なお、この実施の形態によって本発明が限定されるものではない。
【００１８】
（実施の形態１）
図１は本発明の第１の実施の形態における前面パネルの分解裏面図である。図２は本発明の第１の実施の形態における前面パネルの断面図である。
【００１９】
図１、図２に示すように、前面パネル１のシテン取付部を前記前面パネル１と別部品の取付板２として構成し、前記前面パネル１の上部１ａ及び下部１ｂの筐体表面部に顕れない部位の裏面に前記取付板２を固定したことを特徴とするもので、これにより、前面パネル１を透明材で成形し、裏面塗装をした場合でも、塗装の障害となる凸形状が筐体表面部に顕れない部位に構成されているため、正面からら見た時に前面パネル１全体に裏面塗装されているように見え、デザイン性に優れた前面パネルを提供することができる。
【００２０】
（実施の形態２）
図３は本発明の第２の実施の形態における前面パネルの分解裏面図である。図４は本発明の第２の実施の形態における前面パネルの断面図である。図５は本発明の第２の実施の形態における前面パネルの正面図である。
【００２１】
図３、４、５に示すように、前面パネル１の表面上に単数または複数の飾り台３を設けて、前記前面パネル１の上部１ａの筐体表面部に顕れない部位の裏面と飾り台取付部４の裏面において、取付板２を固定したことを特徴とするもので、これにより、前面パネル１を透明材で成形し、裏面塗装をした場合でも、塗装の障害となる凸形状が上部１ａの筐体表面部に顕れない部位と飾り台取付部４の裏面に構成されているため、正面からら見た時に前面パネル１全体に裏面塗装されているように見え、デザイン性に優れた前面パネルを提供できるとともに、取付板２の大きさを必要寸法に抑えることもでき、重量増加の抑制及び省スペ−ス化を図ることができる。
【００２２】
（実施の形態３）
図６は本発明の第３の実施の形態における前面パネルの分解裏面図である。図７は本発明の第３の実施の形態における前面パネルの断面図である。図８は図６における部分詳細図である。図９は本発明の第３の実施の形態における前面パネルの正面図である。
【００２３】
図６、７、８、９に示すように、前面パネル１の裏面上端部の全体にリブ５を設け、前記リブ５上に取付板取付部５ａを設けるとともに、飾り台取付部４の裏面において前記取付板取付部５ａに相対する部位に爪６を設けて、取付板２においては前記前面パネル１の取付板取付部５ａに相対する部位に固定部７と前記前面パネル１の爪６に相対する部位にかん合面８ａと前記かん合面８ａに垂直で前記爪６を囲むかん合リブ８ｂを設け、取付板２を前面パネル１に固定したことを特徴とするもので、これにより、前面パネル１を透明材で成形し、裏面塗装をした場合に、裏面上端部の全体に形成しているリブ５根元には塗装ができないが、上部の塗装端が前記リブ５根元で揃い正面から見た時にデザイン性を損なうことがない。また、飾り台取付部４裏面に構成している爪６と取付板２のかん合面８ａ及びかん合リブ８ｂを組合わせることにより、取付位置のブレをなくし前面パネル１への取付板２の取付性を向上することができる。
【産業上の利用可能性】
【００２４】
以上のように、本発明にかかる空気調和機の室内ユニットは、デザイン性に優れた裏面塗装の前面パネルを提供し、また、前面パネルの重量増加の抑制及び省スペ−ス化を図ることが可能となるので、種々の空気調和機にも適用できる。
【図面の簡単な説明】
【００２５】
【図１】本発明の実施の形態１における前面パネルの分解裏面図
【図２】本発明の実施の形態１における前面パネルの断面図
【図３】本発明の実施の形態２における前面パネルの分解裏面図
【図４】本発明の実施の形態２における前面パネルの断面図
【図５】本発明の実施の形態２における前面パネルの正面図
【図６】本発明の実施の形態３における前面パネルの分解裏面図
【図７】本発明の実施の形態３における前面パネルの断面図
【図８】本発明の実施の形態３における前面パネルの部分詳細図
【図９】本発明の実施の形態３における前面パネルの正面図
【図１０】従来の空気調和機の室内ユニットの正面図
【図１１】従来の空気調和機の室内ユニットにおける前面パネルの裏面図
【符号の説明】
【００２６】
１  前面パネル
１ａ  上部
１ｂ  下部
２    取付板
３  飾り台
４  飾り台取付部
５    リブ
５ａ  取付板取付部
６  爪
７  固定部
８ａ  かん合面
８ｂ  かん合リブ
９  台枠
１０  前面枠
１１  シテン
１２    取付部（前面枠）
１３    取付部（前面パネル）
【図１】
2006112701.tif 000003
【図２】
2006112701.tif 000004
【図３】
2006112701.tif 000005
【図４】
2006112701.tif 000006
【図５】
2006112701.tif 000007
【図６】
2006112701.tif 000008
【図７】
2006112701.tif 000009
【図８】
2006112701.tif 000010
【図９】
2006112701.tif 000011
【図１０】
2006112701.tif 000012
【図１１】
2006112701.tif 000013